(57)【要約】      （修正有）【課題】構造がシンプルで、足裏の支持高さを細かく調節することができ、大人が踏み台を使用せずに用を足す時に邪魔にならない洋式トイレ用踏み台を提供する。【解決手段】天板１２と天板の左右の端部を支持する一対の脚部材１４とで成る本体１６を備え、本体は、天板の後端部が便器Ｂの前側の下端部に対向するように設置されて使用される。天板は、固定部２０と可動板２２，２４とを有する。固定部は、可動板より後側に配置されて脚部材に固定される。可動板は、固定部の前側で脚部材の上面に支持されて前後方向に並設される。固定部及び可動板は、互いに隣接する端部同士が各々ヒンジ２６(1)，(2)を介して回動可能に接続される。２つの可動板を脚部材の上部から引き起こすことによって、可動板を固定部の上に退避させることができる。【選択図】図１
0003217150.tif 000002
【実用新案登録請求の範囲】
【請求項１】
天板と前記天板の左右の端部を支持する一対の脚部材とで成る本体を備え、前記天板の後端部が便器の前側の下端部の対向するよう設置されて使用される洋式トイレ用踏み台であって、
前記天板は、固定部と複数の可動板とを有し、前記固定部は、前記複数の可動板より後側に配置されて前記脚部材に固定され、複数の可動板は、前記固定部の前側に、前記脚部材の上面に支持されて前後方向に並設され、前記固定部及び前記複数の可動板は、互いに隣接する端部同士が各々ヒンジを介して回動可能に接続され、
前記複数の可動板を前記脚部材の上部から引き起こすことによって、前記複数の可動板を前記固定部の上に退避させることができることを特徴とする洋式トイレ用踏み台。
【請求項２】
前記複数の可動板は、最も前側に設けられた第一の可動板と、前記第一の可動板と前記固定部との間に設けられ、前後方向の長さが前記第一の可動板よりも長い第二の可動板とで構成されている請求項１記載の洋式トイレ用踏み台。
【請求項３】
前記第一の可動板の、前記第二の可動板に隣接する端部の裏面に、使用者が足先を引っ掛けて前記第一の可動板の向きを変えるための引っ掛け部が設けられている請求項２記載の洋式トイレ用踏み台。
【請求項４】
前記本体には、前記複数の可動板の中で最も前側に設けられた第一の可動板を前記脚部材の上部に支持された状態に固定し又はその固定を解除するための可動板固定具が設けられている請求項１乃至３のいずれか記載の洋式トイレ用踏み台。
【請求項５】
前記脚部材には、使用者が足で踏むことができる引き起こし補助部材が設けられている請求項１乃至４のいずれか記載の洋式トイレ用踏み台。
【請求項６】
前記天板上に載置して使用される複数の足置きブロックが設けられ、前記複数のブロックは、相互に積み重ねて保管できる形状に形成されている請求項１乃至５のいずれか記載の洋式トイレ用踏み台。
【請求項７】
前記天板の上面に多数の凹部又は透孔が形成され、前記足置きブロックの下面に、前記凹部又は透孔に挿入可能なピンが突設され、前記足置きブロックは、前記天板上の適宜の場所に載置された状態で、前記ピンが特定の前記凹部又は透孔に係合し、前後方向及び左右方向に位置決めされる請求項６記載の洋式トイレ用踏み台。
【考案の詳細な説明】
【技術分野】
【０００１】
本考案は、幼児や大人も使用可能な洋式トイレ用踏み台に関する。
【背景技術】
【０００２】
洋式トイレ用踏み台として、背が低い幼児等が用を足す時に使用されるものがある。また、この種の踏み台を大人が使用すると、排便するのに好ましい姿勢（直腸肛門角が開いて直腸の位置が肛門に対して直線状になる姿勢）を容易につくることができるので、便秘に悩む人に使用されるケースも増えている。
【０００３】
従来、例えば特許文献１に開示されているように、ブロック状の右側及び左側足置き台と、右側及び左側足置き台の上部に左右の端部が取り付けられる板であって、上面で使用者の足裏を支持する連結板とで構成された洋式トイレ用踏み台があった。連結板は、左右の端部の下面に柱状部材が突設され、右側及び左側足置き台の上面に形成された複数の穴に差し込んで取り付けられる。複数の穴は、互いの深さが異なっており、床に設置した右側及び左側足置き台に対して、連結板を水平面内で１８０度回転させて取り付けることによって、連結板の上面の高さを変更することができる。
【０００４】
また、特許文献２に開示されているように、踏み板、左右一対の収納保持脚、前脚、４つのカム機構、２つのスライドリンク、四節リンク機構を構成する２つのリンク等で構成され、使用後、洋式トイレの便器の前側下端部に折り畳み収納できる幼児用折り畳み式踏み台があった。
【先行技術文献】
【特許文献】
【０００５】
【特許文献１】実用新案登録第３１７４３９５号公報
【特許文献２】特開２００５−８７６９５号公報
【考案の概要】
【考案が解決しようとする課題】
【０００６】
特許文献１の洋式トイレ用踏み台は、大人が踏み台を使用せずに用を足す時（例えば、男性が立ち使用する時）には邪魔になる。また、この洋式トイレ用踏み台は、足裏の支持高さが２段階しか調節できないが、幼児から大人まで様々な体形の人が快適に使用できるようにするためには、もっと細かく調節できることが求められる。
【０００７】
特許文献２の幼児用折り畳み式踏み台は、部品点数が多くて構造が複雑である。また、足裏の支持高さを調節できないという問題もある。
【０００８】
本考案は、上記背景技術に鑑みて成されたものであり、構造がシンプルで、足裏の支持高さを細かく調節することができ、踏み台を使用せずに用を足す時にも邪魔にならない洋式トイレ用踏み台を提供することを目的とする。
【課題を解決するための手段】
【０００９】
本考案は、天板と前記天板の左右の端部を支持する一対の脚部材とで成る本体を備え、前記天板の後端部が便器の前側の下端部の対向するよう設置されて使用される洋式トイレ用踏み台であって、前記天板は、固定部と複数の可動板とを有し、前記固定部は、前記複数の可動板より後側に配置されて前記脚部材に固定され、複数の可動板は、前記固定部の前側に、前記脚部材の上面に支持されて前後方向に並設され、前記固定部及び前記複数の可動板は、互いに隣接する端部同士が各々ヒンジを介して回動可能に接続され、前記複数の可動板を前記脚部材の上部から引き起こすことによって、前記複数の可動板を前記固定部の上に退避させることができる洋式トイレ用踏み台である。
【００１０】
例えば、前記複数の可動板は、最も前側に設けられた第一の可動板と、前記第一の可動板と前記固定部との間に設けられ、前後方向の長さが前記第一の可動板よりも長い第二の可動板とで構成されている。この場合、前記第一の可動板の、前記第二の可動板に隣接する端部の裏面に、使用者が足先を引っ掛けて前記第一の可動板の向きを変えるための引っ掛け部が設けられていることが好ましい。
【００１１】
前記本体には、前記複数の可動板の中で最も前側に設けられた第一の可動板を前記脚部材の上部に支持された状態に固定し又はその固定を解除するための可動板固定具が設けられていていてもよい。また、前記脚部材には、使用者が足で踏むことができる引き起こし補助部材が設けられていてもよい。
【００１２】
また、前記天板上に載置して使用される複数の足置きブロックが設けられ、前記複数のブロックは、相互に積み重ねて保管できる形状に形成されていることが好ましい。この場合、前記天板の上面に多数の凹部又は透孔が形成され、前記足置きブロックの下面に、前記凹部又は透孔に挿入可能なピンが突設され、前記足置きブロックは、前記天板上の適宜の場所に載置された状態で、前記ピンが特定の前記凹部又は透孔に係合し、前後方向及び左右方向に位置決めされることが好ましい。
【考案の効果】
【００１３】
本考案の洋式トイレ用踏み台は、構造が非常にシンプルであり、容易に製作することができる。また、本体は、可動板を引き起こして固定部の上に退避させることによって、天板の前側を広く開放させることができるので、大人が踏み台を使用せずに用を足す時に邪魔にならない。
【００１４】
さらに、様々な高さの足置きブロックを用意し、本体と組み合わせて使用することによって、足裏の支持高さを細かく調節することができる。また、複数の足置きブロックは、互いに積み重ね可能に形成することによって、未使用時、トイレ室の狭いスペースにもコンパクトに保管することができる。
【図面の簡単な説明】
【００１５】
【図１】本考案の洋式トイレ用踏み台の一実施形態の使用時の状態を示す平面図（ａ）、左側面図（ｂ）である。
【図２】本体の使用時の状態を示す平面図（ａ）、正面図（ｂ）、左側面図（ｃ）である。
【図３】足置きブロックを斜め上側から見た斜視図（ａ）、斜め下側から見た斜視図（ｂ）である。
【図４】本体の第一及び第二の可動板を固定部の上に退避させる動作を示す左側面図（ａ）、退避させた状態を示す左側面図（ｂ）及び平面図（ｃ）である。
【図５】この実施形態の洋式トイレ用踏み台の未使用時の状態を示す平面図（ａ）、左側面図（ｂ）である。
【図６】足置きブロックの変形例を斜め下側から見た斜視図（ａ）、この足置きブロックと組み合わせて使用される本体の変形例を示す平面図（ｂ）である。
【考案を実施するための形態】
【００１６】
以下、本考案の洋式トイレ用踏み台の一実施形態について、図面に基づいて説明する。この実施形態の洋式トイレ用踏み台１０は、図１（ａ）、（ｂ）に示すように、天板１２と、天板１２の左右の端部を支持する一対の脚部材１４とで成る本体１６と、天板１２上に載置して使用される３つの足置きブロック１８(1)〜１８(3)とを備え、天板１２の後端部（図１（ａ）における上側の端部）が便器Ｂの前側の下端部に対向するように設置されて使用される。
【００１７】
天板１２は、図２（ａ）〜（ｃ）に示すように、固定部２０と第一及び第二の可動板２２，２４とを有している。固定部２０は、最も後側に位置する２つの細長い板により形成され、左右の端部が脚部材１４の上面に固定されている。第一及び第二の可動板２２，２４は、固定部２０の前側に、左右の端部が脚部材１４の上面に支持されて前後方向に並設されている。２つの可動板２２，２４の前後方向に長さは、最も前側に位置する第一の可動板２２の方が少し短い方が良いが、等しい長さでも良い。固定部２０及び可動板２２，２４は、樹脂により各々成形するのが好ましく、固定部２０を１枚の板でも良く、脚部材１４と一体に成形しても良い。また、用途によっては、木製やアルミニウム等の金属製でも良い。
【００１８】
固定部２０と第一及び第二の可動板２２，２４は、互いに隣接する端部同士がヒンジ２６(1)，２６(2)を介して回動可能に接続されている。また、脚部材１４と第一の可動板２２には、第一の可動板２２を脚部材１４の上部に支持された状態に固定し又はその固定を解除するための可動板固定具２８が取り付けられている。ここでは、可動板固定具２８としてパチン錠が使用され、ループ状の係止アーム及び開閉レバーを有した本体部２８ａが脚部材１４の外側面に取り付けられ、係止アームが係合するフック状の受け部２８ｂが第一の可動板２２の左右の端面に取り付けられている。
【００１９】
脚部材１４には、Ｌ字に屈曲した金属板等で成る引き起こし補助部材３０が設けられている。引き起こし補助部材３０は、一方の面が脚部材１４の内側面にビスや釘等で固定され、他方の面が横向きになって第一及び第二の可動板２２，２４の下面に対向し、使用者が足で踏めるようになっている。また、第一の可動板２２の、第二の可動板２４に隣接する端部の裏面に、使用者が足先を引っ掛けて第一の可動板２２の向きを変えるための引っ掛け部３２が設けられている。
【００２０】
さらに、天板１２の上面（固定部２０、第一及び第二の可動板２２，２４の上面）には、多数の凹部１２ａが形成されている。凹部１２ａは、後述する足置きブロック１８(1)，１８(2)，１８(3)のピン３４が挿入され、ピン３４と係合する穴である。
【００２１】
足置きブロック１８(1)〜１８(3)は、図３（ａ）、（ｂ）に示すように外形が略直方体であり、幅寸法と奥行き寸法がほぼ統一されている。高さ寸法は、足置きブロック１８(1)，１８(2)が高くて互いに等しく、足置きブロック１８(3)がその半分くらいに設定されている。そして、足置きブロック１８(1)，１８(2)，１８(3)の各下面には、天板１２の凹部１２ａに挿入可能な複数のピン３４が突設されている。
【００２２】
洋式トイレ用踏み台１０を使用する時、本体１６は、天板１２の後端部が便器Ｂの前側の下端部の対向するよう設置される。そして、図２（ａ）〜（ｃ）に示すように、第一及び第二の可動板２２，２４を一対の脚部材１４の上に支持させ、天板１２上に足置きブロック１８(1)，１８(2)，１８(3)をセットする。このとき、可動板固定具２８は、使用しても使用しなくてもよい。
【００２３】
図１（ａ）、（ｂ）に示す足置きブロック１８(1)，１８(2)，１８(3)のレイアウトは、使用者が幼児の場合の一例である。足置きブロック１８(1)，１８(2)は、便器Ｂに着座した幼児の足裏を支持するブロックであり、便器Ｂの前側の適切な位置に左右一対に取り付ける。足置きブロック１８(3)は、幼児が足置きブロック１８(1)，１８(2)の上に登るための階段を形成するブロックであり、高さが足置きブロック１８(1)，１８(2)の約半分に設定され、足置きブロック１８(1)，１８(2)の近くに取り付ける。
【００２４】
足置きブロック１８(1)〜１８(3)は、天板１２上に載置された状態で、各々のピン３４が特定の凹部１２ａに嵌合し、前後方向及び左右方向に位置決めされる。したがって、使用中、足置きブロック１８(1)〜１８(3)の位置がずれてしまう心配がない。また、ピン３４をある程度長くすれば、使用中に足置きブロック１８(1)〜１８(3)が傾いたり転がったりする事故も防ぐことができる。
【００２５】
洋式トイレ用踏み台１０を片付ける時は、まず、足置きブロック１８(1)，１８(2)，１８(3)を本体１６から取り外す。さらに、可動板固定具２８で第一の可動板２２を固定している場合は、固定を解除する。次に、図４（ａ）に示すように、ヒンジ２６(1)を軸にして第一の可動板２２を回動させて裏返しにする操作を行う。例えば、片方の足で引き起こし補助部材３０を踏んで脚部材１４の位置を固定して、反対側の足で第一の可動板２２を引き起こす操作を行うとよい。この操作により、第一の可動板２２を簡単に裏返すことができる。さらに、同様の操作を行って第二の可動板２４を引き起こすと、図４（ｂ）、（ｃ）に示すように、第一及び第二の可動板２２，２４を丸めるようにして固定部２０上に退避させることができる。特に、第一可動板２２は、前後方向の長さが第二の可動板２４よりも短いので、固定部２０の上に退避させた状態で、第二の可動板２４の重心の位置がヒンジ２６(2)の回動軸よりも後側になるので、この退避状態が確実に保持される。
【００２６】
本体１６から取り外した足置きブロック１８(1)〜１８(3)は、便器Ｂの脇に置いて保管するとよい。これらは、形状が略直方体なので下面にピン３４が突出していても横向きにして積み重ねることができ、図５（ａ）、（ｂ）に示すように、狭いスペースでもコンパクトに保管することができる。また、第一及び第二の可動板２２，２４を固定部２０の上に退避させると天板１２の前側が広く開放するので、例えば大人の男性Ｍが立ち使用する時にも邪魔にならない。
【００２７】
洋式トイレ用踏み台１０を図５（ａ）、（ｂ）に示す状態に片付けた後、再び使用する時は、上記と逆の操作を行って図１（ａ）、（ｂ）の状態に戻す。第一の可動板２２の裏面の引っ掛け部３２は、この逆の操作を行う時に使用すると便利である。引っ掛け部３２が無いとすると、図４（ａ）に示す第一の可動板２２を裏返す操作は、手を使わずに足だけ行うのは難しいが、引っ掛け部３２があれば、引っ掛け部３２に足先を引っ掛けて第一の可動板を引き上げることができ、足だけで簡単に裏返すことができる。
【００２８】
本体１６の可動板固定具２８は、本体１６を移動させる時等に使用する。例えば、本体１６を洗浄するためトイレ室の外に持ち出す時、第一の可動板２２がガタガタ動かないように可動板固定具２８で固定しておくことによって持ち運びが容易になる。
【００２９】
以上説明したように、洋式トイレ用踏み台１０は、構造が非常にシンプルであり、容易に製作することができる。また、第一及び第二の可動板２２，２４を引き起こして固定部２０の上に退避させることによって、天板１２の前側を広く開放させることができるので、大人が踏み台を使用せずに用を足す時に邪魔にならない。また、足置きブロック１８(1)〜１８(3)は、互いに積み重ねて保管できる形状なので、未使用時、トイレ室の狭いスペースにもコンパクトに保管することができる。また、足置きブロック１８(1)〜１８(3)の他にも様々な高さの足置きブロックを用意すれば、使用者の体形に合わせ、足裏の支持高さをさらに細かく調節することができる。
【００３０】
なお、本考案の洋式トイレ用踏み台は、上記実施形態に限定されるものではない。例えば、上記の本体１６の天板１２は、外形が略長方形であるが、上述した使い方が可能であれば、長方形以外の形に変更してもよい。脚部材１４の形状についても同様である。
【００３１】
天板１２の固定部２０は２枚の板で構成されているが、１枚の板で構成してもよいし、３枚以上の板で構成してもよい。また、複数の可動板の数は２枚（第一及び第二の可動板２２，２４）に限定されず、脚部材の上部から引き起こして固定部の上に退避させることができれば、３枚以上設けてもよい。
【００３２】
可動板固定具は、パチン錠以外の他の固定具を使用してもよい。引き起し補助部材及び引っ掛け部は、上記の引き起し補助部材３０及び引っ掛け部３２と同様の機能を発揮できれば、形状や取り付け位置を変更してもよい。また、可動板固定具、引き起し補助部材及び引っ掛け部は、必要に応じて選択的に省略することができる。
【００３３】
足置きブロック１８(1)〜１８(3)は、外形が直方体であるが、相互に積み重ねて保管できれば、直方体以外の外形に変更してもよい。ただし、安定に積み重ねられるように、各足置きブロックの上下面のサイズや形状は統一されていることが好ましい。
【００３４】
また、足置きブロック１８(1)〜１８(3)の下面には、前後左右方向に位置決めするためのピン３４が設けられているが、例えば図６（ａ）に示すように、ゴムシート等の滑り止め部材３６に変更してもよい。この場合、図６（ｂ）に示すように、本体１６の天板１２の凹部１２ａを省略することができる。また、足置きブロックが十分に重くて安定している場合等、足置きブロックの位置がずれる心配がない時は、ピン３４や滑り止め部材３６は省略することができる。
【符号の説明】
【００３５】
１０  洋式トイレ用踏み台
１２  天板
１２ａ  凹部
１４  脚部材
１６  本体
１８(1)〜１８(3)  足置きブロック
２０  固定部
２２  第一の可動板
２４  第二の可動板
２６(1)，２６(2)  ヒンジ
２８  可動板固定具
３０  引き起こし補助部材
３２  引っ掛け部
３４  ピン
３６  滑り止め部材
Ｂ  便器
【図１】
0003217150.tif 000003
【図２】
0003217150.tif 000004
【図３】
0003217150.tif 000005
【図４】
0003217150.tif 000006
【図５】
0003217150.tif 000007
【図６】
0003217150.tif 000008